(57)【要約】【課題】最適な設置方向や設置傾斜角度や設置位置へユーザが投映型表示装置を設置調整するガイドを表示し、ユーザがより簡単に歪みがなく画質の良い投映画像を投映可能とする。【解決手段】投映型表示装置１０前面に設置したエリアセンサ４により検出された被投映面上の画像信号に基づいて、画像判定部５により投映画像の歪みや傾きや位置ずれを判定して、歪みや傾きや位置ずれのない画像を投映可能な最適設置方向や最適設置傾斜角度や最適設置位置に設置調整するためのガイドをＯＳＤ表示部６により投映画像に重畳させて表示する。該ガイドとして、最適設置方向や最適設置傾斜角度や最適設置位置へ投映型表示装置１０を変更すべき向き、傾き、位置の方向を指示するガイドを、あるいは、投映型表示装置１０の現在の設置状態に関して、最適設置方向や最適設置傾斜角度や最適設置位置からのずれを示すガイドを、矢印アイコンを含むアイコンや文字により表示する。【選択図】        図１
2005024668.tif 000002
【特許請求の範囲】
【請求項１】
画像を被投映面に投映する投映型表示装置において、前記被投映面に投映された画像信号を検出するエリアセンサと、該エリアセンサにより検出された画像信号に基づいて、前記被投映面に投映された画像の歪みや傾きや位置ずれを判定して検知信号として出力する画像判定手段とを有し、該画像判定手段により出力された前記検知信号に基づいて、前記被投映面に対して歪みや傾きや位置ずれのない画像を投映することができる最適設置方向や最適設置傾斜角度や最適設置位置に設置調整するためのガイドを前記被投映面に表示する表示手段を備えることを特徴とする投映型表示装置。
【請求項２】
請求項１に記載の投映型表示装置において、前記表示手段が、前記最適設置方向へ当該投映型表示装置の向きを変更するための変更方向を指示するガイドを、矢印アイコンを含むアイコンや文字により表示することを特徴とする投映型表示装置。
【請求項３】
請求項１に記載の投映型表示装置において、前記表示手段が、当該投映型表示装置の現在の向きに関して、前記最適設置方向からの向きのずれを示すガイドを、矢印アイコンを含むアイコンや文字により表示することを特徴とする投映型表示装置。
【請求項４】
請求項２又は３に記載の投映型表示装置において、前記表示手段が、当該投映型表示装置の現在の向きと前記最適設置方向との向きのずれ量の大きさを示すガイドを、矢印アイコンを含むアイコンの大きさや矢印アイコンの長さにより表示することを特徴とする投映型表示装置。
【請求項５】
請求項１乃至４のいずれかに記載の投映型表示装置において、前記表示手段が、前記最適設置傾斜角度へ当該投映型表示装置の傾きを変更するための回転方向を指示するガイドを、矢印アイコンを含むアイコンや文字により表示することを特徴とする投映型表示装置。
【請求項６】
請求項１乃至４に記載の投映型表示装置において、前記表示手段が、当該投映型表示装置の現在の傾きに関して、前記最適設置傾斜角度からの傾きのずれを示すガイドを、矢印アイコンを含むアイコンや文字により表示することを特徴とする投映型表示装置。
【請求項７】
請求項５又は６に記載の投映型表示装置において、前記表示手段が、当該投映型表示装置の現在の傾きと前記最適設置傾斜角度との傾きのずれ量の大きさを示すガイドを、矢印アイコンを含むアイコンの大きさや矢印アイコンの長さにより表示することを特徴とする投映型表示装置。
【請求項８】
請求項１乃至７のいずれかに記載の投映型表示装置において、前記表示手段が、前記最適設置位置へ当該投映型表示装置の位置を移動するための移動方向を指示するガイドを、矢印アイコンを含むアイコンや文字により表示することを特徴とする投映型表示装置。
【請求項９】
請求項１乃至７のいずれかに記載の投映型表示装置において、前記表示手段が、当該投映型表示装置の現在の位置に関して、前記最適設置位置からの位置のずれを示すガイドを、矢印アイコンを含むアイコンや文字により表示することを特徴とする投映型表示装置。
【請求項１０】
請求項８又は９に記載の投映型表示装置において、前記表示手段が、当該投映型表示装置の現在の位置と前記最適設置位置との位置のずれ量の大きさを示すガイドを、矢印アイコンを含むアイコンの大きさや矢印アイコンの長さにより表示することを特徴とする投映型表示装置。
【請求項１１】
請求項２乃至１０のいずれかに記載の投映型表示装置において、前記表示手段が、前記ガイドを表示する矢印アイコンを含むアイコンや文字を点滅表示させることを特徴とする投映型表示装置。
【請求項１２】
請求項１乃至１１のいずれかに記載の投映型表示装置において、前記表示手段が、前記ガイドの表示順序として、前記最適設置方向、前記最適設置傾斜角度、前記最適設置位置へのそれぞれの設置調整項目に関して、予め定められた表示順序に従って、ガイド表示された一つの設置調整項目に関する設置調整が完了する都度、次の設置調整項目に関する前記ガイドを順次表示することを特徴とする投映型表示装置。
【請求項１３】
請求項１２に記載の投映型表示装置において、前記表示手段が、一つの前記設置調整項目に関する設置調整が完了したか否かが、当該設置調整項目に関して、前記画像判定手段により出力された前記検知信号がずれを検知しない状態に至った場合、あるいは、ユーザから設置調整の完了を指示された場合のいずれかであることを特徴とする投映型表示装置。
【請求項１４】
請求項１２又は１３に記載の投映型表示装置において、前記表示手段が、予め定められた前記表示順序として、前記最適設置方向への設置調整項目に関する前記ガイドが、前記最適設置位置への設置調整項目に関する前記ガイドよりも先行して表示されることを特徴とする投映型表示装置。
【請求項１５】
請求項１乃至１４のいずれかに記載の投映型表示装置において、前記表示手段が、前記最適設置方向、前記最適設置傾斜角度、前記最適設置位置へのそれぞれの設置調整項目を示す各前記ガイドの表示に従って、前記最適設置方向、前記最適設置傾斜角度、前記最適設置位置への各設置調整が完了する都度、表示されている前記ガイドを消去することを特徴とする投映型表示装置。
【請求項１６】
請求項１乃至１５のいずれかに記載の投映型表示装置において、前記表示手段が、前記最適設置方向、前記最適設置傾斜角度、前記最適設置位置へのそれぞれの設置調整が全て完了した際に、前記最適設置方向、前記最適設置傾斜角度、前記最適設置位置への設置調整が全て完了した旨を示すガイドを、予め定められた一定時間の間、前記被投映面に表示することを特徴とする投映型表示装置。
【請求項１７】
画像を被投映面に投映する投映型表示装置の設置調整方法であって、前記被投映面に投映された画像信号を検出するエリアセンサと、該エリアセンサにより検出された画像信号に基づいて、前記被投映面に投映された画像の歪みや傾きや位置ずれを判定して検知信号として出力する画像判定手段とを有して設置調整を行なう投映型表示装置の設置調整方法において、前記画像判定手段により出力された前記検知信号に基づいて、前記被投映面に対して歪みや傾きや位置ずれのない画像を投映することができる最適設置方向や最適設置傾斜角度や最適設置位置に設置調整するためのガイドを前記被投映面に表示することを特徴とする投映型表示装置の設置調整方法。
【請求項１８】
請求項１７に記載の投映型表示装置の設置調整方法において、前記ガイドを前記被投映面に表示する際に、前記最適設置方向へ当該投映型表示装置の向きを変更するための変更方向を指示するガイドを、あるいは、当該投映型表示装置の現在の向きに関して、前記最適設置方向からの向きのずれを示すガイドを、矢印アイコンを含むアイコンや文字により表示することを特徴とする投映型表示装置の設置調整方法。
【請求項１９】
請求項１７又は１８に記載の投映型表示装置の設置調整方法において、前記ガイドを前記被投映面に表示する際に、前記最適設置傾斜角度へ当該投映型表示装置の傾きを変更するための回転方向を指示するガイドを、あるいは、当該投映型表示装置の現在の傾きに関して、前記最適設置傾斜角度からの傾きのずれを示すガイドを、矢印アイコンを含むアイコンや文字により表示することを特徴とする投映型表示装置の設置調整方法。
【請求項２０】
請求項１７乃至１９のいずれかに記載の投映型表示装置の設置調整方法において、前記ガイドを前記被投映面に表示する際に、前記最適設置位置へ当該投映型表示装置の位置を移動するための移動方向を指示するガイドを、あるいは、当該投映型表示装置の現在の位置に関して、前記最適設置位置からの位置のずれを示すガイドを、矢印アイコンを含むアイコンや文字により表示することを特徴とする投映型表示装置の設置調整方法。
【請求項２１】
請求項１７乃至２０のいずれかに記載の投映型表示装置の設置調整方法において、前記ガイドを前記被投映面に表示する際に、当該投映型表示装置の現在の向きと前記最適設置方向との向きのずれ量の大きさを示すガイドを、及び／又は、当該投映型表示装置の現在の傾きと前記最適設置傾斜角度との傾きのずれ量の大きさを示すガイドを、及び／又は、当該投映型表示装置の現在の位置と前記最適設置位置との位置のずれ量の大きさを示すガイドを、矢印アイコンを含むアイコンの大きさや矢印アイコンの長さにより表示することを特徴とする投映型表示装置の設置調整方法。
【発明の詳細な説明】
【０００１】
【発明の属する技術分野】
本発明は、投映型表示装置及び該投映型表示装置の設置調整方法に関し、より詳細には、エリアセンサにより検知した画像データに基づいて、投映した画像の歪みや傾きや位置ずれを検知して当該投映型表示装置を最適な設置方向や設置傾斜角度や設置位置に設置調整するためのガイドを表示する投映型表示装置及び該投映型表示装置の設置調整方法に関する。
【０００２】
【従来の技術】
光源光を変調し、スクリーン等の被投映面に投映することによって被投映面上に画像表示を行なう投映型画像表示装置において、投映画像がスクリーン等の被投映面に対して垂直に投映されない場合に生じる投映画像の台形歪みの自動的な補正を行なうことができる装置が知られている。
【０００３】
例えば、特許文献１に示す特開２００１−３３９６７１号公報「プロジェクタ装置」には、プロジェクタ装置のあおり角度をスクリーン傾斜角度でオフセットすることにより、斜めに投映するようなスクリーンであっても投映画像の台形歪みの補正を行なうことができるようにしたプロジェクタ装置が開示されている。
【０００４】
また、特許文献２に示す特開２０００−２４１８７４号公報「プロジェクタの自動画面位置調整方法及び装置」のように、プロジェクタ装置本体にモニタカメラを備え、モニタカメラより入力された画像信号の情報を処理し、投映画像の台形歪み調整等を行なう技術が開示されている。
【０００５】
【特許文献１】
特開２００１−３３９６７１号公報
【特許文献２】
特開２０００−２４１８７４号公報
【０００６】
【発明が解決しようとする課題】
しかしながら、前記特許文献１や前記特許文献２に記載のいずれの技術においても、電気的に投映画像を補正するために、補正後の投映画像の画質が劣化することが避けられない。
本発明は、かかる事情に鑑みてなされたものであり、投映画像から被投映面に対する相対的な歪みや傾きや位置ずれを検知し、最適な設置方向や設置傾斜角度や設置位置へユーザが投映型表示装置を設置調整することができるようなガイドを被投映面にガイド表示することによって、ユーザが、より簡単に、歪みがなく、画質の良い投映画像を表示可能とすることを目的とするものである。
【０００７】
【課題を解決するための手段】
本発明に係る投映型表示装置は、画像を被投映面に投映する投映型表示装置において、前記被投映面に投映された画像信号を検出するエリアセンサと、該エリアセンサにより検出された画像信号に基づいて、前記被投映面に投映された画像の歪みや傾きや位置ずれを判定して検知信号として出力する画像判定手段とを有し、該画像判定手段により出力された前記検知信号に基づいて、前記被投映面に対して歪みや傾きや位置ずれのない画像を投映することができる最適設置方向や最適設置傾斜角度や最適設置位置に設置調整するためのガイドを前記被投映面に表示する表示手段を備えることを特徴としている。
【０００８】
更に、本発明に係る投映型表示装置は、前記投映型表示装置において、前記表示手段が、前記最適設置方向へ当該投映型表示装置の向きを変更するための変更方向を指示するガイドを、矢印アイコンを含むアイコンや文字により表示することを特徴としている。
【０００９】
更に、本発明に係る投映型表示装置は、前記投映型表示装置において、前記表示手段が、当該投映型表示装置の現在の向きに関して、前記最適設置方向からの向きのずれを示すガイドを、矢印アイコンを含むアイコンや文字により表示することを特徴としている。
【００１０】
更に、本発明に係る投映型表示装置は、前記投映型表示装置において、前記表示手段が、当該投映型表示装置の現在の向きと前記最適設置方向との向きのずれ量の大きさを示すガイドを、矢印アイコンを含むアイコンの大きさや矢印アイコンの長さにより表示することを特徴としている。
【００１１】
更に、本発明に係る投映型表示装置は、前記投映型表示装置において、前記表示手段が、前記最適設置傾斜角度へ当該投映型表示装置の傾きを変更するための回転方向を指示するガイドを、矢印アイコンを含むアイコンや文字により表示することを特徴としている。
【００１２】
更に、本発明に係る投映型表示装置は、前記投映型表示装置において、前記表示手段が、当該投映型表示装置の現在の傾きに関して、前記最適設置傾斜角度からの傾きのずれを示すガイドを、矢印アイコンを含むアイコンや文字により表示することを特徴としている。
【００１３】
更に、本発明に係る投映型表示装置は、前記投映型表示装置において、前記表示手段が、当該投映型表示装置の現在の傾きと前記最適設置傾斜角度との傾きのずれ量の大きさを示すガイドを、矢印アイコンを含むアイコンの大きさや矢印アイコンの長さにより表示することを特徴としている。
【００１４】
更に、本発明に係る投映型表示装置は、前記投映型表示装置において、前記表示手段が、前記最適設置位置へ当該投映型表示装置の位置を移動するための移動方向を指示するガイドを、矢印アイコンを含むアイコンや文字により表示することを特徴としている。
【００１５】
更に、本発明に係る投映型表示装置は、前記投映型表示装置において、前記表示手段が、当該投映型表示装置の現在の位置に関して、前記最適設置位置からの位置のずれを示すガイドを、矢印アイコンを含むアイコンや文字により表示することを特徴としている。
【００１６】
更に、本発明に係る投映型表示装置は、前記投映型表示装置において、前記表示手段が、当該投映型表示装置の現在の位置と前記最適設置位置との位置のずれ量の大きさを示すガイドを、矢印アイコンを含むアイコンの大きさや矢印アイコンの長さにより表示することを特徴としている。
【００１７】
更に、本発明に係る投映型表示装置は、前記投映型表示装置において、前記表示手段が、前記ガイドを表示する矢印アイコンを含むアイコンや文字を点滅表示させることを特徴としている。
【００１８】
更に、本発明に係る投映型表示装置は、前記投映型表示装置において、前記表示手段が、前記ガイドの表示順序として、前記最適設置方向、前記最適設置傾斜角度、前記最適設置位置へのそれぞれの設置調整項目に関して、予め定められた表示順序に従って、ガイド表示された一つの設置調整項目に関する設置調整が完了する都度、次の設置調整項目に関する前記ガイドを順次表示することを特徴としている。
【００１９】
更に、本発明に係る投映型表示装置は、前記投映型表示装置において、前記表示手段が、一つの前記設置調整項目に関する設置調整が完了したか否かが、当該設置調整項目に関して、前記画像判定手段により出力された前記検知信号がずれを検知しない状態に至った場合、あるいは、ユーザから設置調整の完了を指示された場合のいずれかであることを特徴としている。
【００２０】
更に、本発明に係る投映型表示装置は、前記投映型表示装置において、前記表示手段が、予め定められた前記表示順序として、前記最適設置方向への設置調整項目に関する前記ガイドが、前記最適設置位置への設置調整項目に関する前記ガイドよりも先行して表示されることを特徴としている。
【００２１】
更に、本発明に係る投映型表示装置は、前記投映型表示装置において、前記表示手段が、前記最適設置方向、前記最適設置傾斜角度、前記最適設置位置へのそれぞれの設置調整項目を示す各前記ガイドの表示に従って、前記最適設置方向、前記最適設置傾斜角度、前記最適設置位置への各設置調整が完了する都度、表示されている前記ガイドを消去することを特徴としている。
【００２２】
更に、本発明に係る投映型表示装置は、前記投映型表示装置において、前記表示手段が、前記最適設置方向、前記最適設置傾斜角度、前記最適設置位置へのそれぞれの設置調整が全て完了した際に、前記最適設置方向、前記最適設置傾斜角度、前記最適設置位置への設置調整が全て完了した旨を示すガイドを、予め定められた一定時間の間、前記被投映面に表示することを特徴としている。
【００２３】
更に、本発明に係る投映型表示装置の設置調整方法は、画像を被投映面に投映する投映型表示装置の設置調整方法であって、前記被投映面に投映された画像信号を検出するエリアセンサと、該エリアセンサにより検出された画像信号に基づいて、前記被投映面に投映された画像の歪みや傾きや位置ずれを判定して検知信号として出力する画像判定手段とを有して設置調整を行なう投映型表示装置の設置調整方法において、前記画像判定手段により出力された前記検知信号に基づいて、前記被投映面に対して歪みや傾きや位置ずれのない画像を投映することができる最適設置方向や最適設置傾斜角度や最適設置位置に設置調整するためのガイドを前記被投映面に表示することを特徴としている。
【００２４】
更に、本発明に係る投映型表示装置の設置調整方法は、前記投映型表示装置の設置調整方法において、前記ガイドを前記被投映面に表示する際に、前記最適設置方向へ当該投映型表示装置の向きを変更するための変更方向を指示するガイドを、あるいは、当該投映型表示装置の現在の向きに関して、前記最適設置方向からの向きのずれを示すガイドを、矢印アイコンを含むアイコンや文字により表示することを特徴としている。
【００２５】
更に、本発明に係る投映型表示装置の設置調整方法は、前記投映型表示装置の設置調整方法において、前記ガイドを前記被投映面に表示する際に、前記最適設置傾斜角度へ当該投映型表示装置の傾きを変更するための回転方向を指示するガイドを、あるいは、当該投映型表示装置の現在の傾きに関して、前記最適設置傾斜角度からの傾きのずれを示すガイドを、矢印アイコンを含むアイコンや文字により表示することを特徴としている。
【００２６】
更に、本発明に係る投映型表示装置の設置調整方法は、前記投映型表示装置の設置調整方法において、前記ガイドを前記被投映面に表示する際に、前記最適設置位置へ当該投映型表示装置の位置を移動するための移動方向を指示するガイドを、あるいは、当該投映型表示装置の現在の位置に関して、前記最適設置位置からの位置のずれを示すガイドを、矢印アイコンを含むアイコンや文字により表示することを特徴としている。
【００２７】
更に、本発明に係る投映型表示装置の設置調整方法は、前記投映型表示装置の設置調整方法において、前記ガイドを前記被投映面に表示する際に、当該投映型表示装置の現在の向きと前記最適設置方向との向きのずれ量の大きさを示すガイドを、及び／又は、当該投映型表示装置の現在の傾きと前記最適設置傾斜角度との傾きのずれ量の大きさを示すガイドを、及び／又は、当該投映型表示装置の現在の位置と前記最適設置位置との位置のずれ量の大きさを示すガイドを、矢印アイコンを含むアイコンの大きさや矢印アイコンの長さにより表示することを特徴としている。
【００２８】
【発明の実施の形態】
以下に、本発明に係る投映型表示装置及び該投映型表示装置の設置調整方法の一実施例について、図面を参照しながら説明する。
図１は、本発明に係る投映型表示装置のブロック構成の一実施例を説明するためのブロック構成図を示している。図１に示す投映型表示装置１０において、画像信号入力端子１０Ａからは、投映表示を行なうための画像信号が入力される。そして、画像信号入力端子１０Ａから入力された画像信号は、信号処理部１にて信号処理された後、信号出力部２により表示デバイス３に出力される。表示デバイス３としては、例えば液晶パネル等による光変調手段が用いられていて、入力された画像信号により変調して、図示していない光源光を変調させることによって、被投映面に投映画像を表示させることができる。
【００２９】
エリアセンサ４は、スクリーン等の被投映面に投映された画像信号を検出し、画像判定部５に対して出力する。画像判定部５においては、エリアセンサ４により検出された画像信号の出力レベルに基づいて投映画像及び被投映面を認識し、被投映面に対する投映画像の歪みや傾きや位置ずれの有無を判定し、判定結果を検知信号としてＯＳＤ表示部６に出力する。ここで、投映画像の認識は、例えば単色のパターンを被投映面に対して投映し、エリアセンサ４により検出された画像信号として画像判定部５にて相対的に高く均一な出力レベルが得られた領域を投映画像領域と判定することにより行なう。また、スクリーン等の被投映面の認識は、例えば画像をミュートした状態で相対的に均一な出力レベルが得られた領域をスクリーン領域即ち被投映面領域と判定することにより行なう。
【００３０】
キー入力部８は、ユーザが投映型表示装置１０に対するアクションを指示するためのものであり、キーボードやボタンなどの入力手段が用いられる。ここで、アクションとは、電源ＯＮ、ＯＦＦスイッチや画像の表示動作の是非を促すＯＫ、ＮＧスイッチや投映型表示装置１０の設置調整操作の完了を指示するＣＯＭＰスイッチなどの操作に相当する。キー判定部９は、キー入力部８から入力されたアクションデータを処理し、画像判定部５やＯＳＤ表示部６に対して出力する。
【００３１】
ＯＳＤ表示部６は、画像判定部５より入力された投映画像の被投映面に対する歪みや傾きや位置ずれを示す前記検知信号と、キー判定部９により入力されたアクションデータとに基づいて、投映型表示装置１０を最適な設置方向や設置傾斜角度や設置位置へ設置調整するためのガイド表示をメモリ部７に格納してある矢印アイコンなどを含むアイコンや文字を用いて作成して、表示デバイス３に対して出力する表示手段を提供している。
ここで、図２は、投映型表示装置１０の概略構成を示す概略構成図である。図２に示すように、図１に示したエリアセンサ４は、投映型表示装置本体１０ａの前面の投映レンズ１０ｂに隣接した位置に配置され、被投映面１０ｃの投映画像１０ｄの状態を検知する。
【００３２】
次に、投映画像１０ｄの歪みや傾きや位置ずれを判定した結果である画像判定部５からの前記検知信号に基づいて、ＯＳＤ表示部６により、被投映面１０ｃに対して歪みや傾きや位置ずれのない投映画像を投映することができる最適な設置方向や設置傾斜角度や設置位置へ投映型表示装置本体１０ａを設置調整するためのガイド表示を行なう様子について、図３乃至図１７を用いて説明する。ここに、図３乃至図６は、被投映面１０ｃに対して投映型表示装置本体１０ａの向きがずれて設置されていて、被投映面１０ｃの上下左右いずれかの方向にそれぞれ投映画像１０ｄの歪みが生じている場合のガイド表示の一例を示す模式図であり、図７及び図８は、被投映面１０ｃに対して投映型表示装置本体１０ａが傾いて設置されていて、それぞれ、被投映面１０ｃの右又は左方向いずれかの方向にそれぞれ投映画像１０ｄの傾きが生じている場合のガイド表示の一例を示す模式図であり、図９乃至図１２は、被投映面１０ｃに対して投映型表示装置本体１０ａの位置がずれて設置されていて、被投映面１０ｃの上下左右いずれかの方向に対してそれぞれ投映画像１０ｄの位置ずれが生じている場合のガイド表示の一例を示す模式図である。
【００３３】
また、図３乃至図１２に示す各図面において、図３（Ａ）乃至図１２（Ａ）は、それぞれ、被投映面１０ｃに投映された投映画像１０ｄの一例を模式的に示しており、図３（Ｂ）乃至図１２（Ｂ）は、それぞれ、投映型表示装置本体１０ａの現在の設置状態（向き、傾き、位置）を、最適設置方向、最適設置傾斜角度、最適設置位置からのずれとして示すガイド表示の一例を模式的に表している。更に、図３（Ｃ）乃至図６（Ｃ）は、それぞれ、投映型表示装置本体１０ａの向きを最適設置方向へ変更するための変更方向をユーザに対して指示するためのガイド表示の一例を模式的に示し、図７（Ｃ）及び図８（Ｃ）は、それぞれ、投映型表示装置本体１０ａの傾きを最適設置傾斜角度へ変更するための回転方向をユーザに対して指示するためのガイド表示の一例を模式的に示し、図９（Ｃ）乃至図１２（Ｃ）は、それぞれ、投映型表示装置本体１０ａの位置を最適設置位置へ移動するための移動方向をユーザに対して指示するためのガイド表示の一例を模式的に示している。
【００３４】
まず、エリアセンサ４にて検出された投映画像１０ｄが、図３（Ａ）に示すように、左辺ａが右辺ｂより短い台形形状に歪んでいる場合、画像判定部５により投映型表示装置本体１０ａが被投映面１０ｃに対して右方向へ向いていると判定され、ＯＳＤ表示部６に対して右方向に向いて設置されているとの検知信号が送出される。ＯＳＤ表示部６においては、送られてきた検知信号に基づいて、被投映面１０ｃに表示するためのガイドを作成する。
【００３５】
ガイド表示には次の２通りの方法がある。第１のガイド表示方法は、図３（Ｂ）に示すように、「右へ回っています。」と、投映型表示装置本体１０ａの向きに関する現在の設置状態を、最適な設置方向からの向きのずれとして示すガイド表示であり、第２のガイド表示方法は、図３（Ｃ）に示すように、「左へ回してください。」と最適な設置方向への変更方向を指示するガイド表示である。図３（Ｂ）及び図３（Ｃ）それぞれに示すような矢印アイコンを含むアイコンや文字はメモリ部７に格納されており、ＯＳＤ表示部６においては、画像判定部５からの前記検知信号に基づいて適宜メモリ部７より取り出してガイドを作成して表示デバイス３に対して出力し、投映画像１０ｄと共に被投映面１０ｃ上に表示する。
【００３６】
逆に、図４（Ａ）に示すように、投映画像１０ｄの右辺ｂが左辺ａより短い台形形状に歪んでいる場合は、画像判定部５により投映型表示装置本体１０ａが被投映面１０ｃに対して左方向へ向いていると判定され、ＯＳＤ表示部６に対して左方向に向いて設置されているとの検知信号が送出される。ＯＳＤ表示部６においては、該検知信号に基づいて、図４（Ｂ）又は図４（Ｃ）に示すようなガイドを作成して、表示デバイス３を介して投映画像１０ｄと共に被投映面１０ｃ上に表示する。
【００３７】
同様に、図５（Ａ）に示すように、投映画像１０ｄの上辺ｃが下辺ｄより短い台形形状に歪んでいる場合は、画像判定部５により投映型表示装置本体１０ａが被投映面１０ｃに対して下方向へ向いていると判定され、ＯＳＤ表示部６に対して下方向に向いて設置されているとの検知信号が送出される。ＯＳＤ表示部６においては、該検知信号に基づいて、図５（Ｂ）又は図５（Ｃ）に示すようなガイドを作成して、表示デバイス３を介して投映画像１０ｄと共に被投映面１０ｃ上に表示する。一方、図６（Ａ）に示すように、投映画像１０ｄの下辺ｄが上辺ｃより短い台形形状に歪んでいる場合は、画像判定部５により投映型表示装置本体１０ａが被投映面１０ｃに対して上方向へ向いていると判定され、ＯＳＤ表示部６に対して上方向に向いて設置されているとの検知信号が送出される。ＯＳＤ表示部６においては、該検知信号に基づいて、図６（Ｂ）又は図６（Ｃ）に示すようなガイドを作成して、表示デバイス３を介して投映画像１０ｄと共に被投映面１０ｃ上に表示する。
【００３８】
図３乃至図６においては、被投映面１０ｃの上下左右いずれかの方向に対して投映型表示装置本体１０ａが向いて設置されて、それぞれ投映画像１０ｄの歪みが生じている場合について説明してきたが、次に、被投映面１０ｃに対して投映画像１０ｄの傾きが生じている場合について説明する。
【００３９】
図７（Ａ）に示すように、投映画像１０ｄが被投映面１０ｃに対して右方向に回転して斜めに傾いている場合は、画像判定部５により投映型表示装置本体１０ａが被投映面１０ｃに対して右方向へ傾いていると判定され、ＯＳＤ表示部６に対して右方向に傾いて設置されているとの検知信号が送出される。ＯＳＤ表示部６においては、該検知信号に基づいて、図７（Ｂ）に示すように、「右へ傾いています。」と投映型表示装置本体１０ａの傾きに関する現在の設置状態を、最適な設置傾斜角度からの傾きのずれとして示すガイド表示を作成するか、あるいは、図７（Ｃ）に示すように、「左へ傾けてください。」と最適な設置傾斜角度への回転方向を指示するガイド表示を作成し、表示デバイス３を介して投映画像１０ｄと共に被投映面１０ｃ上に表示する。
【００４０】
逆に、図８（Ａ）に示すように、投映画像１０ｄが被投映面１０ｃに対して左方向に回転して斜めに傾いている場合は、画像判定部５により投映型表示装置本体１０ａが被投映面１０ｃに対して左方向へ傾いていると判定され、ＯＳＤ表示部６に対して左方向に傾いて設置されているとの検知信号が送出される。ＯＳＤ表示部６においては、該検知信号に基づいて、図８（Ｂ）又は図８（Ｃ）に示すようなガイドを作成して、表示デバイス３を介して投映画像１０ｄと共に被投映面１０ｃ上に表示する。
【００４１】
次に、被投映面１０ｃに対して投映画像１０ｄの位置ずれが生じている場合について説明する。図９（Ａ）に示すように、投映画像１０ｄが被投映面１０ｃに対して右方向に位置がずれて、右辺ｂが被投映面１０ｃからはみ出している場合は、画像判定部５により投映型表示装置本体１０ａが被投映面１０ｃに対して右方向へずれていると判定され、ＯＳＤ表示部６に対して右方向にずれて設置されているとの検知信号が送出される。ＯＳＤ表示部６においては、該検知信号に基づいて、図９（Ｂ）に示すように、「右へずれています。」と投映型表示装置本体１０ａの位置に関する現在の設置状態を、最適な設置位置からのずれとして示すガイド表示を作成するか、あるいは、図９（Ｃ）に示すように、「左へずらしてください。」と最適な設置位置への移動方向を指示するガイド表示を作成し、表示デバイス３を介して投映画像１０ｄと共に被投映面１０ｃ上に表示する。
【００４２】
逆に、図１０（Ａ）に示すように、投映画像１０ｄが被投映面１０ｃに対して左方向に位置がずれて、左辺ａが被投映面１０ｃからはみ出している場合は、画像判定部５により投映型表示装置本体１０ａが被投映面１０ｃに対して左方向へずれていると判定され、ＯＳＤ表示部６に対して左方向にずれて設置されているとの検知信号が送出される。ＯＳＤ表示部６においては、該検知信号に基づいて、図１０（Ｂ）又は図１０（Ｃ）に示すようなガイドを作成して、表示デバイス３を介して投映画像１０ｄと共に被投映面１０ｃ上に表示する。
【００４３】
同様に、図１１（Ａ）に示すように、投映画像１０ｄが被投映面１０ｃに対して下方向に位置がずれて、下辺ｄが被投映面１０ｃからはみ出している場合は、画像判定部５により投映型表示装置本体１０ａが被投映面１０ｃに対して下方向へずれていると判定され、ＯＳＤ表示部６に対して下方向にずれて設置されているとの検知信号が送出される。ＯＳＤ表示部６においては、該検知信号に基づいて、図１１（Ｂ）又は図１１（Ｃ）に示すようなガイドを作成して、表示デバイス３を介して投映画像１０ｄと共に被投映面１０ｃ上に表示する。一方、図１２（Ａ）に示すように、投映画像１０ｄが被投映面１０ｃに対して上方向に位置がずれて、上辺ｃが被投映面１０ｃからはみ出している場合は、画像判定部５により投映型表示装置本体１０ａが被投映面１０ｃに対して上方向へずれていると判定され、ＯＳＤ表示部６に対して上方向にずれて設置されているとの検知信号が送出される。ＯＳＤ表示部６においては、該検知信号に基づいて、図１２（Ｂ）又は図１２（Ｃ）に示すようなガイドを作成して、表示デバイス３を介して投映画像１０ｄと共に被投映面１０ｃ上に表示する。
【００４４】
次に、投映画像１０ｄと共に表示するガイド表示方法として更に異なる方法について説明する。ここで、被投映面１０ｃにおける投映画像１０ｄの歪み、傾き（回転）、位置ずれをガイド表示する図３乃至図１２に示すようなアイコンの表示方法を投映画像１０ｄの歪み、傾き、位置ずれの大きさに応じて変更することにより、更に視覚的に歪み、傾き、位置ずれの度合いをユーザに対して分かりやすく表示することが可能である。一例を図１３及び図１４を用いて説明する。図１３及び図１４は、いずれも、図９に示す位置ずれの場合と同様に、被投映面１０ｃの右方向に対して投映画像１０ｄの位置ずれが生じている場合のガイド表示の一例を示す模式図であり、図１３は、被投映面１０ｃの右方向に対する投映画像１０ｄの位置ずれ量が図９よりも小さい場合のガイド表示の一例を示し、図１４は、被投映面１０ｃの右方向に対する投映画像１０ｄの位置ずれ量が図９よりも大きい場合のガイド表示の一例を示している。
【００４５】
図１３（Ａ）に示すように、投映画像１０ｄの位置ずれ量δ１が、図９（Ａ）の場合の投映画像１０ｄの位置ずれ量δよりも小さい場合（δ１＜δ）は、ガイド表示を行なうアイコンのうち矢印アイコンの長さや大きさを、位置ずれ量の大きさに応じて、図１３（Ｂ）や図１３（Ｃ）に示すように、短く小さく表示することとし、一方、図１４（Ａ）に示すように、投映画像１０ｄの位置ずれ量δ２が、図９（Ａ）の場合の投映画像１０ｄの位置ずれ量δよりも大きい場合（δ２＞δ）は、ガイド表示を行なうアイコンのうち矢印アイコンの長さや大きさを、位置ずれ量の大きさに応じて、図１４（Ｂ）や図１４（Ｃ）に示すように、長く大きく表示することとしても良い。更には、図１３（Ｂ）や図１３（Ｃ）、あるいは、図１４（Ｂ）や図１４（Ｃ）に示すように、矢印アイコンのみならず、投映型表示装置本体１０ａを模式的に示す直方体アイコンの表示位置も、位置ずれ量の大きさに応じて変更して表示するようにしても良いし、矢印アイコンや直方体アイコンを含むアイコン全体の大きさを位置ずれ量の大きさに応じて変更して表示するようにしても良い。
【００４６】
図１３及び図１４においては、被投映面１０ｃの右方向に対して投映画像１０ｄの位置ずれが生じている場合のアイコンの表示例について説明したが、上、下、左方向いずれの方向の位置ずれであっても、上、下、左、右方向いずれの方向の歪みであっても、あるいは、左、右方向いずれの方向の傾きに対しても、同様に、矢印アイコンの長さや大きさにより、場合によっては、直方体アイコンの表示位置あるいは矢印アイコンや直方体アイコンを含むアイコン全体の大きさにより、最適設置位置、最適設置方向、最適設置傾斜角度に対する投映型表示装置本体１０ａの設置位置のずれ、設置向きのずれ、あるいは、設置傾きのそれぞれの度合いをユーザに対してわかり易く表示することが可能である。
【００４７】
なお、図３乃至図１４に示した例においては、被投映面１０ｃにおける投映画像１０ｄの歪み、傾き、位置ずれのいずれか一つが、上、下、左、右方向のいずれか一つの方向に対して発生している場合について説明したが、本発明に係る投映型表示装置においては、かかる場合のみに限るものではなく、歪み、傾き、位置ずれが複合して生じている場合であっても、あるいは、上、下、左、右方向の複数の方向に対して生じている場合であっても、全く同様にして、同時にガイド表示することが可能である。一例を図１５及び図１６を用いて説明する。図１５は、被投映面１０ｃの右下方向に投映画像１０ｄの歪みが生じている場合のガイド表示の一例を示す模式図であり、一方、図１６は、被投映面１０ｃの右下方向に投映画像１０ｄの位置ずれが生じている場合のガイド表示の一例を示す模式図である。
【００４８】
図１５（Ａ）に示すように、投映画像１０ｄの左辺ａが右辺ｂより短く、かつ、上辺ｃが下辺ｄより短い歪んだ台形形状に歪んでいる場合は、画像判定部５により投映型表示装置本体１０ａが被投映面１０ｃに対して右下方向へ向いていると判定され、ＯＳＤ表示部６に対して右下方向に向いて設置されているとの検知信号が送出される。ＯＳＤ表示部６においては、該検知信号に基づいて、右及び下方向の歪みに対するガイド表示を合成して、図１５（Ｂ）又は図１５（Ｃ）に示すようなガイドを作成して、表示デバイス３を介して投映画像１０ｄと共に被投映面１０ｃ上に表示する。
【００４９】
一方、図１６（Ａ）に示すように、投映画像１０ｄが被投映面１０ｃに対して右下方向に位置がずれて、右辺ｂ及び下辺ｄが被投映面１０ｃからはみ出している場合は、画像判定部５により投映型表示装置本体１０ａが被投映面１０ｃに対して右下方向へずれていると判定され、ＯＳＤ表示部６に対して右下方向にずれて設置されているとの検知信号が送出される。ＯＳＤ表示部６においては、該検知信号に基づいて、右及び下方向の位置ずれに対するガイド表示を合成して、図１６（Ｂ）又は図１６（Ｃ）に示すようなガイドを作成して、表示デバイス３を介して投映画像１０ｄと共に被投映面１０ｃ上に表示する。
【００５０】
ここで、図３乃至図１６に示すような投映型表示装置本体１０ａの最適な設置方向、設置傾斜角度、設置位置と現在の設置状態（向き、傾き、位置）との関連を投映画像１０ｄと共に示すガイド表示として、矢印アイコンを含むアイコンや文字を点滅表示させることにより、ユーザが投映画像１０ｄとは分離してガイド表示に対する注意を喚起し易くするようにしても良い。
【００５１】
また、画像判定部５により投映型表示装置本体１０ａが被投映面１０ｃに対して最適な設置方向、設置傾斜角度、設置位置に設置されていると判定された場合、ＯＳＤ表示部６に対して投映型表示装置本体１０ａの最適な設置方向、設置傾斜角度、設置位置への設置調整が完了しているとの検知信号が送出される。ＯＳＤ表示部６においては、該検知信号に基づいて、図１７に示すような「設置完了しました。」との最適な設置方向、設置傾斜角度、設置位置への設置調整が完了した旨のガイドを作成して、表示デバイス３を介して投映画像１０ｄと共に被投映面１０ｃ上に表示する。ここに、図１７は、投映型表示装置本体１０ａの最適な設置方向、設置傾斜角度、設置位置への設置調整が完了した旨のガイド表示の一例を示す模式図である。
【００５２】
次に、投映型表示装置本体１０ａの最適な設置方向、設置傾斜角度、設置位置への設置調整に関するガイド表示処理を行なう一連の流れについて図１８のフローチャートを用いて説明する。図１８は、投映型表示装置本体１０ａの最適な設置方向、設置傾斜角度、設置位置への設置調整に関するガイド表示処理の流れの一例を説明するためのフローチャートである。なお、ガイド表示方法としては、前述したように、投映型表示装置本体１０ａの現在の設置状態をガイド表示する方法（図３（Ｂ）乃至図１２（Ｂ））と、投映型表示装置本体１０ａの設置方向、設置傾き、設置位置をそれぞれ最適な設置方向、設置傾斜角度、設置位置へ方向変更、回転、移動させる変更指示をガイド表示する方法（図３（Ｃ）乃至図１２（Ｃ））との２通りの方法があるが、いずれのガイド表示方法を用いても構わない。
【００５３】
図１８のフローチャートにおいて、まず、画像判定部５は、エリアセンサ４からの投映画像１０ｄの検知結果に基づいて、投映型表示装置本体１０ａが被投映面１０ｃに対して左、右方向のいずれかの方向に向いているか否かを判定する（ステップＳ１）。左、右方向のいずれかの方向に向いていると判定された場合は（ステップＳ１のＹＥＳ）、左、右方向いずれかの向いている方向に応じてガイド表示（図３又は図４に示すガイド表示）を行なう（ステップＳ２）。ここで、ユーザは、ガイド表示に従い、投映型表示装置本体１０ａの向きを変更して方向変更操作を行ない（ステップＳ３）、変更操作が終了した旨をキー入力すると、キー入力部８、キー判定部９を経由して、キー入力結果が判定されて、被投映面１０ｃに対する左右方向の向きが最適な状態に補正されたか確認するために、ステップＳ１に復帰する。
【００５４】
左、右方向のいずれの方向にも向いていないと判定された場合は（ステップＳ１のＮＯ）、左、右方向に関する最適設置方向への設置調整が完了したものとして、被投映面１０ｃに表示されているガイド表示（図３又は図４に示すガイド表示）があれば、表示されている該ガイド表示を消去して、次に、画像判定部５は、エリアセンサ４からの投映画像１０ｄに基づいて、投映型表示装置本体１０ａが被投映面１０ｃに対して上、下方向のいずれかの方向に向いているか否かを判定する（ステップＳ４）。上、下方向のいずれかの方向に向いていると判定された場合は（ステップＳ４のＹＥＳ）、上、下方向いずれかの向いている方向に応じてガイド表示（図５又は図６に示すガイド表示）を行なう（ステップＳ５）。ここで、ユーザは、ガイド表示に従い、投映型表示装置本体１０ａの向きを変更して方向変更操作を行ない（ステップＳ６）、変更操作が終了した旨をキー入力すると、キー入力部８、キー判定部９を経由して、キー入力結果が判定されて、被投映面１０ｃに対する上下方向の向きが最適な状態に補正されたか確認するために、ステップＳ４に復帰する。
【００５５】
上、下方向のいずれの方向にも向いていないと判定された場合は（ステップＳ１のＮＯ）、上、下方向に関する最適設置方向への設置調整が完了したものとして、被投映面１０ｃに表示されているガイド表示（図５又は図６に示すガイド表示）があれば、表示されている該ガイド表示を消去して、次に、エリアセンサ４からの投映画像１０ｄに基づいて、投映型表示装置本体１０ａが被投映面１０ｃに対して左、右方向のいずれかの方向に傾いているか否かを判定する（ステップＳ７）。左、右方向のいずれかの方向に傾いていると判定された場合は（ステップＳ７のＹＥＳ）、左、右方向いずれかの傾いている方向に応じてガイド表示（図７又は図８に示すガイド表示）を行なう（ステップＳ８）。ここで、ユーザは、ガイド表示に従い、投映型表示装置本体１０ａの傾きを変更して回転操作を行ない（ステップＳ９）、回転操作が終了した旨をキー入力すると、キー入力部８、キー判定部９を経由して、キー入力結果が判定されて、被投映面１０ｃに対する傾きが最適な状態に補正されたか確認するために、ステップＳ７に復帰する。
【００５６】
左、右方向のいずれの方向にも傾いていないと判定された場合は（ステップＳ７のＮＯ）、左、右方向に関する最適設置傾斜角度への設置調整が完了したものとして、被投映面１０ｃに表示されているガイド表示（図７又は図８に示すガイド表示）があれば、表示されている該ガイド表示を消去して、次に、エリアセンサ４からの投映画像１０ｄに基づいて、投映型表示装置本体１０ａが被投映面１０ｃに対して左、右方向のいずれかの方向に位置ずれしているか否かを判定する（ステップＳ１０）。左、右方向のいずれかの方向に位置ずれしていると判定された場合は（ステップＳ１０のＹＥＳ）、左、右方向いずれかの位置ずれしている方向に応じてガイド表示（図９又は図１０に示すガイド表示）を行なう（ステップＳ１１）。ここで、ユーザは、ガイド表示に従い、投映型表示装置本体１０ａの位置を移動して移動操作を行ない（ステップＳ１２）、移動操作が終了した旨をキー入力すると、キー入力部８、キー判定部９を経由して、キー入力結果が判定されて、被投映面１０ｃに対する左右方向の位置が最適な状態に補正されたか確認するために、ステップＳ１０に復帰する。
【００５７】
左、右方向のいずれの方向にも位置ずれしていないと判定された場合は（ステップＳ１０のＮＯ）、左、右方向に関する最適設置位置への設置調整が完了したものとして、被投映面１０ｃに表示されているガイド表示（図９又は図１０に示すガイド表示）があれば、表示されている該ガイド表示を消去して、次に、エリアセンサ４からの投映画像１０ｄに基づいて、投映型表示装置本体１０ａが被投映面１０ｃに対して上、下方向のいずれかの方向に位置ずれしているか否かを判定する（ステップＳ１３）。上、下方向のいずれかの方向に位置ずれしていると判定された場合は（ステップＳ１３のＹＥＳ）、上、下方向いずれかの位置ずれしている方向に応じてガイド表示（図１１又は図１２に示すガイド表示）を行なう（ステップＳ１４）。ここで、ユーザは、ガイド表示に従い、投映型表示装置本体１０ａの位置を移動して移動操作を行ない（ステップＳ１５）、移動操作が終了した旨をキー入力すると、キー入力部８、キー判定部９を経由して、キー入力結果が判定されて、被投映面１０ｃに対する上下方向の位置が最適な状態に補正されたか確認するために、ステップＳ１３に復帰する。
【００５８】
上、下方向のいずれの方向にも位置ずれしていないと判定された場合は（ステップＳ１３のＮＯ）、上、下方向に関する最適設置位置への設置調整が完了したものとして、被投映面１０ｃに表示されているガイド表示（図１１又は図１２に示すガイド表示）があれば、表示されている該ガイド表示を消去する。更に、投映型表示装置本体１０ａの被投映面１０ｃに対する向き、傾き、位置ずれに関する全ての設置調整が終了して、最適な設置方向、設置傾斜角度、設置位置への設置調整が全てなされた旨を示すガイド表示（図１７に示すガイド表示）を、予め定められた一定時間の間、被投映面１０ｃに投映画像１０ｄと共に表示して、ユーザに通知する（ステップＳ１６）。以上により、投映型表示装置本体１０ａの被投映面１０ｃに対する向き、傾き、位置ずれに関する一連の設置調整操作が終了する。
【００５９】
ここで、図１８に示すフローチャートにおいては、まず、ステップＳ１乃至Ｓ３において投映型表示装置本体１０ａの左右方向の向きを調整した後、ステップＳ４乃至Ｓ６において上下方向の向きを調整する手順を示したが、左右方向の向きの調整と上下方向の向きの調整との順序を逆にして、上下方向の向きの調整を左右方向の向きの調整よりも先行するようにしても良い。同様に、ステップＳ１０乃至Ｓ１２において投映型表示装置本体１０ａの左右方向の位置ずれを調整した後、ステップＳ１３乃至Ｓ１５において上下方向の位置ずれを調整する手順を示したが、左右方向の位置ずれの調整と上下方向の位置ずれの調整との順序を逆にして、上下方向の位置ずれの調整を左右方向の位置ずれの調整よりも先行するようにしても良い。
【００６０】
あるいは、ステップＳ７乃至Ｓ９における投映型表示装置本体１０ａの傾きを調整する手順についても、向きの調整手順や位置ずれの調整手順との順序との関連において任意の順序に入れ替えて行なうこととしても構わない。
いずれにしても、最適設置方向、最適設置傾斜角度、最適設置位置へのそれぞれの設置調整項目に関して、予め定められた表示順序に従って、ガイド表示された一つの設置調整項目に関する設置調整が完了する都度、次の設置調整項目に関するガイド表示を順次表示することにより、ユーザは、ガイド表示される設置調整項目に従って、投映型表示装置本体１０ａの設置調整を順次手際よく行なうことが可能であり、より簡単に高品質の投映画像１０ｄを得ることが可能となる。
【００６１】
但し、向きの調整手順と位置ずれの調整手順の順序については、投映型表示装置本体１０ａの向きを補正するために方向変更操作を行なうことに伴って、新たな位置ずれが生じかねないので、向きの調整手順を位置ずれの調整手順よりも先行させて行なう方が良い。即ち、最適設置方向への設置調整に関するガイド表示は、最適設置位置への設置調整に関するガイド表示よりも先行して表示させるようにした方が望ましい。
【００６２】
なお、図１８のフローチャートにおいては、画像判定部５が、投映型表示装置本体１０ａの設置方向や設置傾斜角度や設置位置について被投映面１０ｃに対する向きや傾きや位置ずれがあると判定した場合に、画像判定部５において向きや傾きや位置ずれが検知されなくなるまで、ユーザがガイド表示に従って投映型表示装置本体１０ａの設置方向や設置傾斜角度や設置位置をそれぞれ変更する設置調整操作を行なう場合について説明したが、かかる場合のみに限るものではなく、ユーザがガイド表示の内容を吟味して設置調整操作の必要性を評価するようにしても良い。即ち、一つの設置調整項目に関する設置調整操作が完了したか否かは、当該設置調整項目に関して、画像判定部５により出力される前記検知信号が、投映画像１０ｄの歪みや傾きや位置ずれを検知しない状態に至った場合のみならず、ユーザから設置調整の完了を指示された場合をも含むようにしても良い。
【００６３】
例えば、投映型表示装置本体１０ａの設置方向や設置傾斜角度や設置位置に関してガイド表示されるそれぞれの内容をユーザが吟味して、投映型表示装置本体１０ａの設置方向や設置傾斜角度や設置位置を変更する操作が不要であると評価するようなガイド表示であった場合には、ユーザが該ガイド表示の設置調整操作を完了すべき旨をキー入力することにより、キー入力部８、キー判定部９を経由して、キー入力結果が判定され、ユーザからの指示に関する判定結果は、画像判定部５に通知される。画像判定部５は、該ガイド表示の設置調整操作を完了すべきとのユーザからの指示に基づいて、当該ガイド表示については、たとえ被投映面１０ｃに対する向きや傾きや位置ずれがあると画像判定部５において判定がなされたとしても、被投映面１０ｃに対する向きや傾きや位置ずれに関する設置調整は完了したものと見なして、当該ガイド表示に対する設置方向や設置傾斜角度や設置位置の設置調整操作を終了させて、次のステップに移行して、画像判定部５は、次の設置調整順序にある向きや傾きや位置ずれに関する判定処理へと移行することとしても良い。
【００６４】
【発明の効果】
以上の説明から明らかなように、本発明に係る投映型表示装置及び該投映型表示装置の設置調整方法によれば、投映画像がスクリーン等の被投映面に対して歪みや傾きや位置ずれがある場合、投映型表示装置を最適な設置位置や設置傾斜角度や設置方向に設置調整するための案内となるガイド表示を行ない、該ガイド表示に従ってユーザが設置調整操作を適宜行なうことにより、より簡単に高品質の投映画像を得ることが可能となる。
【図面の簡単な説明】
【図１】本発明に係る投映型表示装置のブロック構成の一実施例を説明するためのブロック構成図である。
【図２】投映型表示装置の概略構成を示す概略構成図である。
【図３】被投映面の右方向に投映画像の歪みが生じている場合のガイド表示の一例を示す模式図である。
【図４】被投映面の左方向に投映画像の歪みが生じている場合のガイド表示の一例を示す模式図である。
【図５】被投映面の下方向に投映画像の歪みが生じている場合のガイド表示の一例を示す模式図である。
【図６】被投映面の上方向に投映画像の歪みが生じている場合のガイド表示の一例を示す模式図である。
【図７】被投映面の右方向に投映画像の傾きが生じている場合のガイド表示の一例を示す模式図である。
【図８】被投映面の左方向に投映画像の傾きが生じている場合のガイド表示の一例を示す模式図である。
【図９】被投映面の右方向に投映画像の位置ずれが生じている場合のガイド表示の一例を示す模式図である。
【図１０】被投映面の左方向に投映画像の位置ずれが生じている場合のガイド表示の一例を示す模式図である。
【図１１】被投映面の下方向に投映画像の位置ずれが生じている場合のガイド表示の一例を示す模式図である。
【図１２】被投映面の上方向に投映画像の位置ずれが生じている場合のガイド表示の一例を示す模式図である。
【図１３】被投映面の右方向に対する投映画像の位置ずれ量が図９よりも小さい場合のガイド表示の一例を示す模式図である。
【図１４】被投映面の右方向に対する投映画像の位置ずれ量が図９よりも大きい場合のガイド表示の一例を示す模式図である。
【図１５】被投映面の右下方向に投映画像の歪みが生じている場合のガイド表示の一例を示す模式図である。
【図１６】被投映面の右下方向に投映画像の位置ずれが生じている場合のガイド表示の一例を示す模式図である。
【図１７】投映型表示装置本体の最適な設置方向、設置傾斜角度、設置位置への設置調整が完了した旨のガイド表示の一例を示す模式図である。
【図１８】投映型表示装置本体の最適な設置方向、設置傾斜角度、設置位置への設置調整に関するガイド表示処理の流れの一例を説明するためのフローチャートである。
【符号の説明】
１…信号処理部、２…信号出力部、３…表示デバイス、４…エリアセンサ、５…画像判定部、６…ＯＳＤ表示部、７…メモリ部、８…キー入力部、９…キー判定部、１０…投映型表示装置、１０Ａ…画像信号入力端子、１０ａ…投映型表示装置本体、１０ｂ…投映レンズ、１０ｃ…被投映面、１０ｄ…投映画像。
【図１】
2005024668.tif 000003
【図２】
2005024668.tif 000004
【図３】
2005024668.tif 000005
【図４】
2005024668.tif 000006
【図５】
2005024668.tif 000007
【図６】
2005024668.tif 000008
【図７】
2005024668.tif 000009
【図８】
2005024668.tif 000010
【図９】
2005024668.tif 000011
【図１０】
2005024668.tif 000012
【図１１】
2005024668.tif 000013
【図１２】
2005024668.tif 000014
【図１３】
2005024668.tif 000015
【図１４】
2005024668.tif 000016
【図１５】
2005024668.tif 000017
【図１６】
2005024668.tif 000018
【図１７】
2005024668.tif 000019
【図１８】
2005024668.tif 000020